(57)【要約】【課題】容器体注出筒内へ吐出弁を設け、該容器上部へキャップを嵌合させた容器は、容器体内収納物が容器体注出筒とキャップ周壁との間を通って垂れ出し、容器体肩部上面等を汚すことがあったので、このような欠点を除去した。【解決手段】容器体注出筒としての口頸部４の外面ないし該口頸部外面へ嵌合させる、キャップ周壁部分の内面の一方に、キャップ上部内への外気吸入溝４１を穿設した。【選択図】　図１
2004001845.tif 000002
【特許請求の範囲】
【請求項１】
弾性圧搾可能な胴部２上端から、収納物注出筒を起立すると共に、該注出筒の下部内に吐出弁１１を設けた容器体１と、
上記注出筒外面へ周壁を嵌合させたキャップ３１とからなる容器において、
上記注出筒の外面ないしキャップ周壁の内面に、キャップ上部内への外気導入溝４１を穿設した
ことを特徴とする吐出弁付き容器。
【請求項２】
上記注出筒を、容器体口頸部４と該口頸部内へ嵌着されて起立するノズル２１とで形成し、該ノズルの上端開口を、キャップ頂壁３５裏面から垂下させた栓３６で密封した
ことを特徴とする、請求項１記載の吐出弁付き容器。
【請求項３】
注出筒とキャップ周壁とを螺合させると共に、注出筒が有する雄ねじ５の谷底よりも深く、口頸部４に外気導入溝４１を縦設した
ことを特徴とする請求項１又は２記載の吐出弁付き容器。
【発明の詳細な説明】
【０００１】
【発明の属する技術分野】
本発明は、吐出弁付きの容器に関する。
【０００２】
【従来の技術】
容器体胴部を弾性圧搾可能に形成すると共に、胴部上端から肩部を介して起立する口頸部の下部内に吐出弁を設け、又口頸部の上部内に下端筒部を嵌合させてノズルを起立させ、更にそのノズル上端の開口を頂壁裏面で閉塞させて口頸部外面へキャップを螺合させた、吐出弁付きの容器が知られている。
【０００３】
【発明が解決しようとする課題】
上記容器内へは粘性の流動体を収納させることが多いが、このような容器にあっては使用開始後に次第に収納物がノズル外面を伝わって口頸部外面とキャップ周壁内面との間に入り、更に口頸部下方の肩部上面まで流出することがあり、そのため該容器に対する消費者の信頼を損なうことがあった。
【０００４】
その原因は次のように考えられる。即ち該容器の使用はまずキャップを外し、容器体胴部圧搾による胴部内高圧化により、収納物は吐出弁を通りノズル上端から注出され、消費者は注出された収納物を使用するが、胴部圧搾開放と同時に吐出弁は閉じ、そのためノズル内には収納物を残したままで再度キャップをすることとなる。
【０００５】
再使用に際しキャップを外すが、例えば口頸部とキャップ周壁とがほぼ気密に螺合等されていると、そのキャップ螺脱の際、ノズル外面とキャップの上部内面との間はキャップ上昇で負圧化することとなり、該負圧化により上記ノズル内に残った収納物がノズル外方へ吸出しされる。このようなノズル外方への吸出しはキャップ螺脱の都度反復されるため、ノズル外方へ吸出された収納物は次第に増えて口頸部とキャップ周壁とのねじ部分間を埋め、すると上記気密性は更に高められて吸出し量も多くなり、その結果容器体の肩部および胴部外面への流出も増大する。
【０００６】
このような事態は、口頸部が小径でノズルを有しない場合にも生ずることが考えられる。
【０００７】
本発明は上記負圧化防止のための外気導入溝を収納物注出用筒としての容器体口頸部外面ないしキャップ周壁内面へ縦設することで、上記欠点を除去できるよう設けたものである。
【０００８】
【課題を解決するための手段】
第１の手段として弾性圧搾可能な胴部２上端から、収納物注出筒を起立すると共に、該注出筒の下部内に吐出弁１１を設けた容器体１と、
上記注出筒外面へ周壁を嵌合させたキャップ３１とからなる容器において、
上記注出筒の外面ないしキャップ周壁の内面に、キャップ上部内への外気導入溝４１を穿設した。
【０００９】
第２の手段として、上記第１の手段を有すると共に上記注出筒を、容器体口頸部４と該口頸部内へ嵌着されて起立するノズル２１とで形成し、該ノズルの上端開口を、キャップ頂壁３５裏面から垂下させた栓３６で密封した。
【００１０】
第３の手段として、上記第１又は第２の手段を有すると共に注出筒とキャップ周壁とを螺合させると共に、注出筒が有する雄ねじ５の谷底よりも深く、口頸部４に外気導入溝４１を縦設した。
【００１１】
【発明の実施の形態】
以下図１と図２とが示す第１実施形態について説明する。まず従来公知の構造について説明すると、１は圧搾可能な胴部２を有するチューブ容器等の容器体で、胴部上端から肩部３を介して口頸部４を起立する。その口頸部外面へは雄ねじ５を周設させている。又口頸部４の下端内面には内向きフランジ６を付設している。
【００１２】
口頸部の下端内面へは吐出弁１１を設ける。図示例では筒部１２下端内面に弁板１３を付設した弁部材１４を設けて、該部材を口頸部内面へ嵌合させて形成しており、該嵌合状態で弁板１３の外周部下面は内向きフランジ６上面を弁座として、吐出弁を形成する。尚その弁部材は公知のように形成すればよい。
【００１３】
上記口頸部４にはノズル２１を嵌合させている。該ノズルは下端筒部２２を上記弁部材の筒部１２内面へ嵌合させ、その下端筒部の上端に付設した外向きフランジ２３を口頸部上端面上へ載置させ、下端筒部から上方へ起立する上方筒部分２４を上部小外径としている。
【００１４】
３１はキャップで、口頸部４外面へ螺合させた周壁下半３２の上端から内向きフランジ状部３３を介して周壁上部３４を起立し、該周壁上部でノズル上部を覆合させている。キャップ頂壁３５下面からは、ノズル孔２５上端開口内へ嵌合させる栓３６を垂下し、該キャップを口頸部４外面へ嵌合させ、該キャップを締め付けしたとき、栓３６がノズル孔上端部内へ水密に嵌合するよう設けている。該キャップ上部の上下方向中間部は上方小径のテーパ状部３７としてあり、該テーパ状部内面とノズル外面との間には間隙が形成され、又上記内向きフランジ状部３３の内周部下面と既述ノズルの外向きフランジ２３の外周部上面との間にも狭い隙間を設けている。尚３８はキャップ外面へ嵌着させた装飾カバーで必要により設ければよい。
【００１５】
本発明にあっては、図２が示すように口頸部４の外面に、キャップ上部内への外気導入溝４１を穿設した。該溝は図１が示すように雄ねじ５の谷底よりも深くし、キャップの雌ねじ３９によってはその溝が閉塞されないよう設けている。図１にあっては上記外気導入溝４１を介して、キャップ周壁下端と容器体肩部上面との間の間隙が、上記ノズル上部外面とキャップ周壁上部との間の間隙と連通する。
上記キャップ付き容器において、キャップ３１を外し、容器体胴部を圧搾すると、容器体内収納物は吐出弁１１を開き、ノズル孔２５上端から注出され、上記圧搾開放によって吐出弁１１は閉じる。上記ノズル孔上端から注出された収納物を指先等で除去し、かつ使用後等にキャップ３１を嵌合する。
【００１６】
再使用の際は再びキャップ３１を除去するが、該キャップ除去の際はノズル２１内に収納物が入っているため、キャップ螺脱の際にキャップ内が負圧化すると、そのノズル内収納物がその負圧化によりノズル孔上端から吸出しされる筈であるが、本発明にあっては既述外気導入溝４１を口頸部４外面へ縦設しているから、該溝を通って外気がキャップ内へ入り、そのため該キャップ内の負圧化を防止できる。よって既述のようにノズル内の収納物がノズル孔上端から吸出しされることを防止することが出来る。
【００１７】
尚図示例では外気導入溝４１を口頸部外面へ縦設したが、キャップ周壁の内面へ設けてもよいことは当然である。
【００１８】
又図示例では容器体口頸部４とキャップ周壁下半とを螺合させているが、それ等口頸部外面と周壁内面とにそれぞれ係合突条等を周設して、それ等両係合突条の係合でキャップの抜出しを防止させたものでもよく、又それ等両係合突条の一方を凹溝として、該凹溝内へ他方の係合突条が嵌合するよう設けたものでもよく、更にそれ等係合突条等を設けずに、口頸部外面へキャップ周壁下部をほぼ気密に嵌合させるよう設けたものでもよい。
【００１９】
図３は第２実施形態を示す。該実施形態は既述第１実施形態のノズルを省略したのもので、容器体口頸部４が小外径であればこのように形成することも出来る。ノズル省略により、キャップ頂壁３５下面は口頸部４の上端開口面を密封する。その他構造は第１実施形態の場合と同一であり、よって同一符号を付することで説明を省略する。
【００２０】
尚本発明においては上記第２実施形態のように、ノズル２１は必ずしも必要ではなく、ノズルおよび口頸部が共に収納物注出用筒として用いられていることから、口頸部にノズルを嵌合させている場合およびノズルを嵌合させていない場合を共に含めて注出筒とする。又該注出筒とは注出栓も含めることとする。
【００２１】
【発明の効果】
本発明は既述構成とするものであり、請求項１記載のようにキャップ上部内への外気導入溝４１を注出筒外面ないしキャップ周壁下半３２の内面へ穿設するから、キャップ取外し時にキャップ上部内が負圧化することはなく、よってその負圧化が生じた場合のようにノズル孔上端の開口を通ってノズル内に貯められている収納物が吸出しされ、該吸出された収納物がノズルおよび口頸部外面等を伝わってキャップ下方の容器体肩部分上面等を汚すことを防止できる。
【００２２】
請求項２記載の構成とすることで、上記効果は更に有効となる。
【００２３】
請求項３のようにすることで、外気導入溝の穿設が容易で、機能的にもすぐれた外気導入溝４１の穿設が容易である。
【図面の簡単な説明】
【図１】本発明吐出弁付き容器要部の縦断面図である。
【図２】図１容器体上部の側面図である。
【図３】実施形態を異にして示す、容器要部の縦断面図である。
【符号の説明】
１１…吐出弁　　　　　　　　　　　　　２１…ノズル
３１…キャップ　　　　　　　　　　　　４１…外気導入溝
【図１】
2004001845.tif 000003
【図２】
2004001845.tif 000004
【図３】
2004001845.tif 000005